(57)【要約】【課題】１つの工程でガゼット袋の整形と内容物の装填とを行うことができるガゼット袋の内容物装填装置を提供する。【解決手段】上端部が閉じ方向の付勢力をもって回動自在に支持され、閉じ状態でそれぞれの下端部が鋭角状に合わさってガゼット袋１０の開口部１０ａが差し込まれる一対の開閉板３と、開閉板３の上方に昇降自在に配置され、下降することにより開閉板３を押し開きつつガゼット袋１０内の底部近傍まで挿入されて、ガゼット袋１０を角筒状に整形する整形部材５とを備え、整形部材５に、ガゼット袋１０に収容される内容物を整形部材５の下端部から袋内に投入するための投入路５３を形成する。【選択図】図１
0003167406.tif 000002
【実用新案登録請求の範囲】
【請求項１】
所定間隔をもって対向配置され、それぞれの上端部が閉じ方向の付勢力をもって回動自在に支持されるとともに、閉じ状態でそれぞれの下端部が鋭角状に合わさってガゼット袋の開口部が差し込まれる一対の開閉板と、
前記一対の開閉板の上方に昇降自在に配置され、下降することにより前記一対の開閉板を押し開きつつ前記ガゼット袋内の底部近傍まで挿入されて、前記ガゼット袋を角筒状に整形する整形部材とを備え、
前記整形部材に、前記ガゼット袋に収容される内容物を前記整形部材の下端部から袋内に投入するための投入路を形成したことを特徴とするガゼット袋の内容物装填装置。
【請求項２】
前記整形部材は、上部にホッパーを有する中空管を備え、前記ホッパーおよび前記中空管の内側を前記投入路としたことを特徴とする請求項１に記載のガゼット袋の内容物装填装置。
【考案の詳細な説明】
【技術分野】
【０００１】
本考案は、ガゼット袋を角筒状に整形しつつ、そのガゼット袋に内容物を装填するガゼット袋の内容物装填装置に関する。
【背景技術】
【０００２】
従来、大粒の梅干しを商品化するにあたって、和紙等で作られたガゼット折りの袋（以下、ガゼット袋という）に入れて商品価値を高める工夫がなさる場合がある。
【０００３】
ところが、このようにガゼット袋に内容物である梅干しを装填するのは手作業で行われるのが一般的であり、この手作業ではガゼット袋の開口部が完全に開ききらない状態で梅干しを投入してしまうことがある。このように半開き状態で梅干しを投入しようとすると、開口部周縁で梅干しに傷が付いたり、また、梅干しが開口部周縁に押し付けられて袋が破損したりする恐れがある。
【０００４】
また、ガゼット袋の開口部は、梅干しを装填した後に熱融着などによりシールされるが、半開き状態の開口部に梅干しの調味液が付着した場合は、その付着部分でシールが不完全になってしまう恐れがある。
【０００５】
このため、ガゼット袋の開口部を完全に開くことが望まれるが、従来では、たとえば特許文献１に開示されるようにガゼット袋の開袋方法が提案されている。
【０００６】
この開袋方法は、一対のバキュームパッドでガゼット袋の開口部の両側を吸引して矩形状に開口した後、開袋ブロックを開口部からガゼット袋の底まで押し込むことにより、そのガゼット袋を角筒状に整形できるようになっている。
【先行技術文献】
【特許文献】
【０００７】
【特許文献１】特開平５−２５４５１７号公報
【考案の概要】
【考案が解決しようとする課題】
【０００８】
しかしながら、特許文献１に開示されたガゼット袋の開袋方法は、ガゼット袋を角筒状に整形して開口部を完全に開くことができるのであるが、このように角筒状に整形したガゼット袋に内容物を装填するためには、かかる整形工程で整形されたガゼット袋を別の工程に移して行う必要がある。
【０００９】
このため、ガゼット袋の整形工程と、ガゼット袋への内容物装填工程との少なくとも２工程が必要となり、内容物の装填作業が複雑化されるとともに、コストも嵩んでしまうことになる。
【００１０】
そこで、本考案は、かかる従来の問題点に鑑みてなされたものであって、１つの工程でガゼット袋の整形と内容物の装填とを行うことができるガゼット袋の内容物装填装置を提供するものである。
【課題を解決するための手段】
【００１１】
上記課題を解決するために、本考案のガゼット袋の内容物装填装置は、所定間隔をもって対向配置され、それぞれの上端部が閉じ方向の付勢力をもって回動自在に支持されるとともに、閉じ状態でそれぞれの下端部が鋭角状に合わさってガゼット袋の開口部が差し込まれる一対の開閉板と、これら一対の開閉板の上方に昇降自在に配置され、下降することにより前記一対の開閉板を押し開きつつ前記ガゼット袋内の底部近傍まで挿入されて、前記ガゼット袋を角筒状に整形する整形部材とを備え、前記整形部材に、前記ガゼット袋に収容される内容物を前記整形部材の下端部から袋内に投入するための投入路を形成したことを特徴とする。
【００１２】
このとき、前記整形部材は、上部にホッパーを有する中空管を備え、前記ホッパーおよび前記中空管の内側を前記投入路とすることが好ましい。
【考案の効果】
【００１３】
本考案によれば、閉じ状態にある一対の開閉板の下端部にガゼット袋の開口部を差し込んだ状態で整形部材を下降することにより、一対の開閉板が押し開かれてガゼット袋の開口部を完全に開きつつガゼット袋を角筒状に整形することができる。そして、整形部材をガゼット袋内に挿入した状態で、その整形部材に形成した投入路から内容物をガゼット袋の底部に装填することができる。
【００１４】
したがって、ガゼット袋を角筒状に整形する工程と、内容物をガゼット袋に装填する工程とを一度に行うことができるようになり、全体装置の簡素化および低価格化を達成することができる。
【００１５】
また、前記整形部材を、上部にホッパーを有する中空管を備えて構成し、前記ホッパーおよび前記中空管の内側を前記投入路とすることにより、整形部材および投入路の構成をより簡素化することができる。
【図面の簡単な説明】
【００１６】
【図１】図１は、本考案にかかるガゼット袋の内容物装填装置の一実施形態を示す正面図である。
【図２】図２は、図１に示す内容物装填装置の側面図である。
【図３】図３は、図１に示す内容物装填装置の開閉板の閉じ状態と開き状態とを中心線を界とした両側でそれぞれ示す正面図である。
【図４】図４は、ガゼット袋の一例を示す斜視図である。
【考案を実施するための形態】
【００１７】
以下、本考案の一実施形態を図面を参照しつつ説明する。
【００１８】
図１および図２に示すように、本実施形態のガゼット袋の内容物装填装置１は、下端に基盤２１を固定した所定高さの装置本体部２を有する。この装置本体部２の上部の一側方（図２中右方）に支持アーム２２が水平方向に突設されるとともに、装置本体部２の上端にガイド軸２３が垂直に立設されている。
【００１９】
支持アーム２２の先端部には一対の開閉板３が設けられるとともに、ガイド軸２３には水平に配置されたスライドアーム４がそのガイド軸２３に沿って摺動自在に設けられている。
【００２０】
一対の開閉板３は、図１に示すように、支持アーム２２の先端部に所定間隔Ｌ１をもって対向配置され、それぞれの上端部が図１中矢印ａで示す閉じ方向の付勢力をもって支持アーム２２に回動自在に支持されている。
【００２１】
すなわち、本実施形態では、それぞれの開閉板３の上端部の外面に、付勢力を付与するための角棒状のウエイト３１が直角に結合されている。そして、それぞれのウエイト３１の開閉板３への結合側端部がピン３２を介して支持アーム２２に回転自在に取り付けられることにより開閉板３が回動自在となっている。
【００２２】
ウエイト３１は、開閉板３が、図１中２点鎖線および図３中左部分に示すように、ほぼ垂直に下方配置された状態（開き状態）では、ほぼ水平方向に位置してウエイト３１の荷重が有効に開閉板３の付勢力として作用するようになっている。そして、そのウエイト３１の荷重によって、開閉板３は常に図１中実線および図３中右部分に示す傾斜状態（閉じ状態）となる方向に付勢力が付与される。
【００２３】
このとき、一対の開閉板３は、図１中実線に示すように、閉じ状態でそれぞれの下端部が鋭角となるＶ字状に合わさるようになっている。そして、Ｖ字状となった開閉板３の先端部には、同図中２点鎖線で示すように、ガゼット袋１０の開口部１０ａが差し込まれるようになっている。なお、本実施形態では、開閉板３が閉じ状態にあるとき、ウエイト３１の先端部は支持アーム２２に設けたストッパー３３に当接して、閉じ状態にある閉止板３に余分な負荷が掛からないようになっている。
【００２４】
ガセット袋１０は、図４に示すように、ほぼ矩形状に形成された表面１１および裏面１２と、それら表および裏面１１、１２の側辺どうしを連続して繋ぐ一対の側面１３とを備え、それら各面１１、１２、１３の下端部が、たとえば熱融着（接着でもよい）によりシールされて密封部１０ｂとなっている。両側面１３は内側にガゼット折り（谷折り）されることにより、全体的に扁平に折り畳まれた状態となっている。そして、このように扁平に折り畳まれた状態でガゼット袋１０は流通される。また、各面１１、１２、１３の上端部は開放されて開口部１０ａとなっている。
【００２５】
したがって、ガゼット袋１０に内容物、たとえば同図中２点鎖線で示す大粒の梅干しＰを従来のように手作業で装填するには、折り畳まれたガゼット袋１０の開口部１０ａを大きく開いてガゼット袋１０全体を角筒状に膨らませた後に、梅干しＰを開口部１０ａから袋内に投入することになる。
【００２６】
これに対し、本実施形態では、折り畳まれた状態のガゼット袋１０は、開口部１０ａを大きく開くことなく少々開いた状態でよく、その少々開いた開口部１０ａを、上述した閉じ状態にある開閉板３の下端部外側に差し込むことになる。このとき、図２に示すように、ガゼット袋１０の開口部１０ａを差し込み易くするために、開閉板３の先端部はほぼ楔形状に形成されている。
【００２７】
スライドアーム４の先端部には、図２に示すように、一対の開閉板３の上方に位置して整形部材５が配置される。この整形部材５は、上部にホッパー５１を有する中空管５２で形成され、この中空管５２の上端部がスライドアーム４に結合されて、このスライドアーム４に伴って整形部材５が全体的に昇降自在となっている。
【００２８】
中空管５２は、その断面形状がガゼット袋１０の全開された内側にほぼ沿った矩形状に形成されている。そして、スライドアーム４とともに整形部材５が下降することにより、図３中左側に示すように、中空管５２の下端部が閉じ状態にある一対の開閉板３を付勢力に抗して押し開きつつ、ガゼット袋１０の内側に挿入されるようになっている。このとき、中空管５２の下端は、最終的にガゼット袋１０の底部近傍まで挿入される。
【００２９】
したがって、整形部材５の下降に伴って一対の開閉板３が押し開かれると、それら開閉板３の下端部に差し込まれたガゼット袋１０の開口部１０ａが大きく開かれ、そして、中空管５２の更なる挿入によりガゼット袋１０を全体的に膨出させて角筒状に整形することができる。
【００３０】
一方、装置本体部２の側面には、スライドアーム４を昇降するためのエアシリンダ６が垂直に取り付けられており、このエアシリンダ６の上端から出没されるピストンロッド６１の先端部がスライドアーム４に結合されている。
【００３１】
また、エアシリンダ６の側方に位置して基盤２１から支柱７１が立設されており、この支柱７１にエアシリンダ６を制御するためのコントローラ７が取り付けられる。このコントローラ７には、エアシリンダ６の駆動圧（圧縮空気または真空圧）の供給路を切換えるための図示省略したソレノイドバルブおよびそのソレノイドバルブを作動する制御回路が内蔵される。
【００３２】
また、コントローラ７には、図示省略したスイッチが設けられ、このスイッチを切換えることにより、制御回路からソレノイドバルブに作動信号を出力してエアシリンダ６を駆動するようになっている。この場合、上記スイッチを足踏み式としておくことが好ましく、このように足踏み式スイッチとすることにより、ガゼット袋１０への内容物装填の作業を一人で行い易くなる。
【００３３】
ここで本実施形態では、整形部材５を形成したホッパー５１および中空管５２の内側が、ガゼット袋１０に収容される内容物（本実施形態では梅干しＰ）を、中空管５２の下端部から袋内に投入するための投入路５３となっている。
【００３４】
したがって、本実施形態の内容物装填装置１では、装填作業の初期状態では、図２中実線で示すようにエアシリンダ６のピストンロッド６１を突出させて整形部材５を上昇（図３中右側参照）させておく。このように整形部材５の上昇位置では、一対の開閉板３は閉じ状態となっており、この閉じ状態にある開閉板３の下端部にガゼット袋１０の開口部１０ａを差し込むとともに、このガゼット袋１０を手などによって保持しておく。なお、このガゼット袋１０の保持は、別途設けた保持部材または保持装置によって、ガゼット袋１０を人手に依ることなく保持させることもできる。
【００３５】
次に、コントローラ７のスイッチを操作してエアシリンダ６のピストンロッド６１を引っ込めることにより、図２中２点鎖線に示すように整形部材５が下降し、中空管５２の下端部で一対の開閉板３を押し開く（図３中左側参照）。これによりガゼット袋１０の開口部１０ａが大きく開かれ、更なる整形部材５の下降により中空管５２の下端部がガゼット袋１０内に挿入されて、このガゼット袋１０を角筒状に整形する。
【００３６】
このガゼット袋１０が角筒状に整形された段階、つまり、整形部材５が下降されている状態で、内容物である梅干しＰをホッパー５１に投入する。すると、投入された梅干しＰは、ホッパー５１および中空管５２の内側に形成された投入路５３に案内されてガゼット袋１０の底部に装填される。したがって、梅干しＰをガゼット袋１０の開口部１０ａに接触させることなく装填できるため、梅干しＰの傷付きやガゼット袋１０の破損を抑制できるとともに、ガゼット袋１０の開口部１０ａに梅干しＰの調味液が付着されるのを防止できる。
【００３７】
その後、スイッチを操作してエアシリンダ６のピストンロッド６１を突出させることにより整形部材５が上昇し、これに伴って中空管５２もガゼット袋１０から抜け出るとともに、一対の開閉板３から離脱して初期状態に復帰する。すると、開閉板３はウエイト３１による付勢力により閉じ状態となり、この状態で梅干しＰが装填されたガゼット袋１０を開閉板３から容易に取外すことができる。
【００３８】
なお、ガゼット袋１０は、開閉板３から取り外した後に、図示省略したシール手段によって開口部１０ａが密封されることになる。
【００３９】
以上説明したように、本実施形態の内容物装填装置１によれば、閉じ状態にある一対の開閉板３１の下端部にガゼット袋１０の開口部１０ａを差し込んだ状態で、整形部材５を下降することにより、一対の開閉板３が押し開かれてガゼット袋１０の開口部１０ａを完全に開きつつガゼット袋１０を角筒状に整形することができる。そして、ガゼット袋１０を整形した状態、つまり、中空管５２の下端部をガゼット袋１０内に挿入した状態で、投入路５３から梅干しＰをガゼット袋１０の底部に装填することができる。
【００４０】
したがって、ガゼット袋１０を角筒状に整形する工程と、内容物である梅干しＰをガゼット袋１０に装填する工程とを一度に行うことができるため、全体装置の簡素化および低価格化を達成することができる。
【００４１】
このとき、一対の開閉板３が閉じ方向に付勢されていることにより、ガゼット袋１０をセットする際に、その都度開閉板３を閉じる必要が無くなり、作業性の更なる向上を図ることができる。
【００４２】
また、本実施形態によれば、整形部材５を、上部にホッパー５１を有する中空管５２で構成し、これらホッパー５１および中空管５２の内側を投入路５３としたので、整形部材５および投入路５３の構成をより簡素化することができる。
【００４３】
このとき、中空管５２の上部にホッパー５１を設けたことにより、内容物である梅干しＰの投入がし易くなる。
【産業上の利用可能性】
【００４４】
本実施形態では、内容物が大粒の梅干しＰである場合を例にとって説明したが、これに限ることなく内容物は梅干しＰ以外に、固形物や柔軟物若しくは流動物であっても本考案を適用することができる。
【符号の説明】
【００４５】
１  内容物装填装置
３  開閉板
５  整形部材
５１  ホッパー
５２  中空管
５３  投入路
１０  ガゼット袋
１０ａ  ガゼット袋の開口部
Ｐ  梅干し（内容物）
【図１】
0003167406.tif 000003
【図２】
0003167406.tif 000004
【図３】
0003167406.tif 000005
【図４】
0003167406.tif 000006